(57)【要約】【課題】  透明カバー３０を着脱する際における外力を受けた場合においても、押し釦１０が筐体２０より外れることなく、かつ押し釦１０を容易に筐体２０に取り付けることができるスイッチ構造１を提供するものである。【解決手段】  スイッチ５０が実装された基板４０を内部に有した筐体２０と、筐体２０に設けた開口部２４の表面側から挿入されて裏面側に係合する係合爪１２を有した係合片１１を設けて使用者に押されることによりスイッチ５０を切り換える押し釦１０と、押し釦１０の表面側に着脱自在に取り付けられた透明カバー３０と、を備えたスイッチ構造１において、前記筐体２０は、係合片１１の挿入方向に向って傾斜し、係合片１１を係合爪１２の係合する方向へ押圧する押圧片２５が設けられているものである。【選択図】図３
2006302847.tif 000002
【特許請求の範囲】
【請求項１】
スイッチが実装された基板を内部に有した筐体と、筐体に設けた開口部の表面側から挿入されて裏面側に係合する係合爪を有した係合片を設けて使用者に押されることによりスイッチを切り換える押し釦と、押し釦の表面側に着脱自在に取り付けられた透明カバーと、を備えたスイッチ構造において、前記筐体は、係合片の挿入方向に向って傾斜し、係合片を係合爪の係合する方向へ押圧する押圧片が設けられたことを特徴とするスイッチ構造。
【請求項２】
前記係合片は、押圧片で押圧される側と反対側に位置する筐体の面との間に隙間を有するように取り付けられたことを特徴とする請求項１に記載のスイッチ構造。
【請求項３】
前記押し釦が、係合爪の係合する方向が各々異なるように設けられた複数の係合片を備えて、各係合片の係合爪が筐体に設けた複数の開口部の裏面側にそれぞれ係合されたことを特徴とする請求項１又は２に記載のスイッチ構造。
【請求項４】
前記筐体が、前記複数の開口部が位置する部位の略中心の位置に周辺部位よりも厚い厚肉部を備えて、前記押し釦が厚肉部に設けられた案内孔に表面側から挿入されて裏面側に摺動可能に案内される案内片を備えていることを特徴とする請求項３に記載のスイッチ構造。
【発明の詳細な説明】
【技術分野】
【０００１】
本願発明は、押し釦によってスイッチを操作するスイッチ構造に関するものである。
【背景技術】
【０００２】
従来から、スイッチが実装された基板を内部に有した筐体と、筐体に設けた開口部の表面側から挿入されて裏面側に係合する係合爪を有した係合片を設けて使用者に押されることによりスイッチを切り換える押し釦と、を備えたスイッチ構造が提供されている。（例えば、特許文献１参照）。そして、図４に示すように、この種のスイッチ構造１０１は、使用者から押されることにより筐体１２０の裏面方向に平行移動した押し釦１０を、押力が除去された後に、前の位置に復帰させるための圧縮バネ６０等の復帰手段を有して、係合片１１に設けられた係合爪１２と筐体１２０の裏面とが係合して押力を受ける前の位置に復帰するようになっている。
【特許文献１】特開２０００−３１５４３６号公報
【発明の開示】
【発明が解決しようとする課題】
【０００３】
しかし、上記のような構造を備えたスイッチ構造１０１では、押し釦１０を押すことによりどのような機能が実行されるのか等を表示する名札８０を入れ替え可能にするために、着脱自在に取り付けられた透明カバー３０を押し釦１０の表面側に設けた場合には、透明カバー３０の着脱時に押し釦１０に回転モーメント等の普段の使用とは異なる方向の外力を受ける。そのため、主に透明カバー３０を着脱する際の外力を受けた場合において、押し釦１０が筐体１２０より外れてしまうという不具合があった。そこで、本願発明は、透明カバーを着脱する際における外力を受けた場合においても、押し釦が筐体より外れることなく、かつ押し釦を容易に筐体に取り付けることができるスイッチ構造を提供するものである。
【課題を解決するための手段】
【０００４】
上記課題を解決するために、本願発明のスイッチ構造は、スイッチが実装された基板を内部に有した筐体と、筐体に設けた開口部の表面側から挿入されて裏面側に係合する係合爪を有した係合片を設けて使用者に押されることによりスイッチを切り換える押し釦と、押し釦の表面側に着脱自在に取り付けられた透明カバーと、を備えたスイッチ構造において、前記筐体は、係合片の挿入方向に向って傾斜し、係合片を係合爪の係合する方向へ押圧する押圧片が設けられているものである。
【発明の効果】
【０００５】
本願発明のスイッチ構造においては、係合片の挿入方向に向って傾斜し、係合片を係合爪の係合する方向へ押圧する押圧片が設けられたので、押し釦の係合片が筐体の開口部に挿入される際に押圧片が係合片のガイドとなり容易に筐体に挿入可能となり、かつ透明カバーを外す際に回転モーメントが負荷されても係合片が押圧片により押圧されているので、押し釦を容易に筐体に取り付けることができ、かつ押し釦が筐体より外れてしまう不具合が生じ難い。
【発明を実施するための最良の形態】
【０００６】
以下、本願発明を実施するための最良の形態について図面を参照しながら説明する。
【０００７】
本実施形態は、図１・２に示すインターホン副親機９０に適用したものである。但し、本願発明はこれに限られず種々の電子機器に適用可能である。
【０００８】
このインターホン副親機９０は、例えば、玄関先などに配設された子機や、室内に配設された親機及び他の副親機ととともにインターホンシステムを構成し、これら子機及び親機及び他の副親機との通話や、電気錠の施錠及び解錠の機能を有するものである。以下、上下左右は図１（ａ）を基準とし、図１（ａ）の紙面手前側を表面側として説明する。このインターホン副親機９０は、上述した通話や施解錠といった機能を実現するための電子回路およびこれらの機能の開始及び終了のトリガとなるスイッチ５０を実装した基板４０（図示せず）が内蔵された筐体２０を備えているものである。
【０００９】
そして、筐体２０の表面下部には通話の開始及び終了のトリガとなるスイッチ５０を操作するための大型の押ボタン９１が、筐体２０の表面中央部には玄関に設けられた電気錠等の玄関扉を解錠するトリガとなるスイッチ５０を操作するための丸型の押しボタン９２および他の部屋に設けられた親機または副親機に呼出し音を鳴動させるトリガとなるスイッチ５０を操作するための２個の楕円型の押し釦１０が、各々設けられているものである。また、大型の押ボタン９１の上側には、筐体２０に内蔵されたスピーカの音を出すための音穴９３が設けられている。さらに、筐体２０の下側面には、通話の音量調整と電源のオンオフとを行うためのスライドスイッチ９４が設けられているものである。
【００１０】
以下、本願発明の要点であるスイッチ構造１について説明する。本実施形態のスイッチ構造１は、スイッチ５０が実装された基板４０を内部に有した筐体２０と、筐体２０に設けた開口部２４の表面側から挿入されて裏面側に係合する係合爪１２を有した係合片１１を設けて使用者に押されることによりスイッチ５０を切り換える押し釦１０と、押し釦１０の表面側に着脱自在に取り付けられた透明カバー３０と、を備えたスイッチ構造１において、筐体２０は、係合片１１の挿入方向に向って傾斜し、係合片１１を係合爪１２の係合する方向へ押圧する押圧片２５が設けられているものである。
【００１１】
また、本実施形態のスイッチ構造１は、係合片１１が押圧片２５で押圧される側と反対側に位置する筐体２０の面との間に隙間７０を有するように取り付けられているものである。
【００１２】
また、本実施形態のスイッチ構造１は、押し釦１０が係合爪１２の係合する方向が各々異なるように設けられた複数の係合片１１を備えて、各係合片１１の係合爪１２が筐体２０に設けた複数の開口部２４の裏面側にそれぞれ係合されているものである。
【００１３】
また、本実施形態のスイッチ構造１は、筐体２０が複数の開口部２４が位置する部位の略中心の位置に周辺部位よりも厚い厚肉部２６を備えて、押し釦１０が厚肉部２６に設けられた案内孔２７に表面側から挿入されて裏面側に摺動可能に案内される案内片１３を備えているものである。
【００１４】
さらに、詳しく説明すると、本実施形態のスイッチ構造１は、図３に示すように、押し釦１０の表面にスイッチ５０の機能を表示する紙である名札８０を挟んで透明カバー３０が着脱自在に取り付けられた押し釦１０の裏面に設けられて、この係合片１１および案内片１３が、筐体２０に設けられた押し釦１０を収納するための収納溝２３の底に設けられた開口部２４および案内孔２７に、圧縮バネ６０を挟んで挿入されて取り付けられるものとなっている。また、押し釦１０の取り付けに際しては、案内孔２７の表面はテーパ形状となっており、かつ開口部２４の案内孔２７が存在する側の周縁からは係合片１１の挿入方向、つまり裏面方向に向って傾斜して延出させた押圧片２５があるので、押し釦１０の筐体２０への円滑な取り付けが可能なものとなっている。さらに、筐体２０の案内孔２７の裏面側には基板４０に実装されたスイッチ５０が固定されており、押し釦１０が使用者からの押力を受けて裏面方向に移動し、押し釦１０の案内片１３の先端がスイッチ５０を切り替えるものとなっているものである。
【００１５】
筐体２０は、壁面等の取付面に取り付けられる前面が開放されたボディ２１と、後面が開放された直方体形状に形成されボディ２１の前側に被着されるカバー２２と、からなっており、ボディ２１及びカバー２２は例えば合成樹脂成形品からなっているものである。そして、ボディ２１には、図２に示すように、押し釦１０を表裏面方向に摺動可能に収納するための断面楕円形状の収納溝２３を備えているものである。また、その収納溝２３の底部の中央には他の底部の厚みよりも厚い厚肉部２６を備えて、その厚肉部２６には押し釦１０を案内するための丸孔である案内孔２７が設けられているものである。さらには、収納溝２３の底部の案内孔２７を挟んで対称の位置には断面四角形状の１対（２個）の開口部２４を備えており、各開口部２４の案内孔２７が存在する側の周縁からは係合片１１の挿入方向に向って傾斜して延出させた押し釦１０の抜けを防止する押圧片２５が形成されているものである。そのため、この押圧片２５は押し釦１０を筐体２０に挿入する際には押し釦１０の係合片１１の先端を案内し、かつ挿入後には押し釦１０の係合片１１を収納溝２３の底部の外側に、つまり係合爪１２の係合する方向へ押圧するようになっているものである。さらには、この開口部２４は、押し釦１０の係合片１１が取り付けられた際に、係合片１１の外側壁（係合爪１２を除く）と開口部２４の側壁とは擦れることがないような位置および大きさで形成されているものである。このため、押し釦１０の係合片１１は、表裏方向に摺動する際に、主に筐体２０に設けられた押圧片２５の先端と係合片１１の側面とが擦れ合うようになっているものである。
【００１６】
押し釦１０は、楕円形平板状の平板片１４と、平板片１４の周縁から裏面側に突出させた１対の係合片１１と、平板片１４の中央から裏面方向に突設させた案内片１３と、を備えているものである。そして、平板片１４は、押し釦１０が筐体２０に取り付けられた際に、筐体２０の収納溝２３内で回転を規制しつつ表裏方向に摺動できるように、筐体２０の収納溝２３よりも若干小さい断面楕円形状となっており、かつその表面の周縁には段差１５を備えて、透明カバー３０を着脱自在に嵌合することが可能なものとなっている。また、一対の係合片１１は、押し釦１０の外側方向の側面の端部に各々係合爪１２を備えており、係合爪１２が筐体２０の裏面側に係合することで、筐体２０と押し釦１０の間に介在する圧縮バネ６０のバネ力により押し釦１０が筐体２０から外れるのを防止するものである。さらに、案内片１３は、筐体２０の案内孔２７よりも若干小さい円筒形状を備えており、案内孔２７に挿入されて押し釦１０が筐体２０に対して上下左右方向には移動せず表裏面方向にのみ移動するように、押し釦１０の移動方向を規制しているものとなっている。
【００１７】
透明カバー３０は、アクリル等の透明な樹脂材料で形成された有底楕円筒形状を備えており、押し釦１０の平板片１４に設けられた段差１５にその周壁３１を勘合させることにより、押し釦１０に着脱自在に取り付けられるものとなっているものである。
【００１８】
そして、使用者が透明カバー３０を介して押し釦１０を押した際には、押し釦１０の案内片１３が裏面方向に移動して、筐体２０の内部にあるスイッチ５０を案内片１３の先端で押圧して切り換えるものとなっている。さらには、使用者からの押力が除去された後には、筐体２０と押し釦１０との間に介設された圧縮バネ６０のバネ力により表面方向に押し釦１０が移動し、係合片１１に設けられた係合爪１２と筐体２０の裏面とが係合して押力を受ける前の位置に復帰するようになっているものである。また、押し釦１０の表面より透明カバー３０を外す際には、押し釦１０を案内片１３が挿入された案内孔２７の周縁及び係合片１１を係合爪１２の係合する方向へ押圧する１対の押圧片２５で支持して、押し釦１０が回転して筐体２０より外れることを防止しているものとなっている。
【００１９】
以上の構成を備えることにより、この実施形態で用いるスイッチ構造１は、筐体２０は、係合片１１の挿入方向に向って傾斜し、係合片１１を係合爪１２の係合する方向へ押圧する押圧片２５が設けられているので、押し釦１０の係合片１１が筐体２０の開口部２４に挿入される際に押圧片２５が係合片１１のガイドとなり容易に筐体２０に挿入可能となり、かつ透明カバー３０を外す際の外力を受けても係合片１１が押圧片２５により支持されているので、押し釦１０を容易に筐体２０に取り付けることができて、かつ押し釦１０が筐体２０より外れてしまう不具合が生じ難いものである。
【００２０】
また、本実施形態のスイッチ構造１は、係合片１１が押圧片２５で押圧される側と反対側に位置する筐体２０の面との間に隙間７０を有するように取り付けられているので、押し釦１０を押した際に係合片１１は押圧片２５と反対側に位置する筐体２０の面に対しては摩擦力が働かないため、常に一定の摩擦力をもって押圧片２５と係合片１１が擦れることになり、操作感覚を一定に保つことができるものである。
【００２１】
また、本実施形態のスイッチ構造１は、押し釦１０が係合爪１２の係合する方向が各々異なるように設けられた複数の係合片１１を備えて、各係合片１１の係合爪１２が筐体２０に設けた複数の開口部２４の裏面側にそれぞれ係合されているので、透明カバー３０を外す際に様々な方向の外力を受けても押し釦１０が筐体２０より外れてしまう不具合がより生じ難い。
【００２２】
また、本実施形態のスイッチ構造１は、筐体２０が複数の開口部２４が位置する部位の略中心の位置に周辺部位よりも厚い厚肉部２６を備えて、押し釦１０が厚肉部２６に設けられた案内孔２７に表面側から挿入されて裏面側に摺動可能に案内される案内片１３を備えているので、透明カバー３０を外す際の外力を受けても開口部２４の略中心に位置する案内孔２７で支持して透明カバー３０を外す際に押し釦１０が筐体２０より外れてしまう不具合がより生じ難い。
【図面の簡単な説明】
【００２３】
【図１】本願発明が用いられるインターホン副親器を示す図であり、（ａ）は正面図（ｂ）は下面図。
【図２】本願発明が用いられるインターホン副親器の筐体と押し釦とを分離した状態を示す展開斜視図。
【図３】本願発明の実施形態の要部であるスイッチ構造を示す断面図。
【図４】従来のスイッチ構造を示す断面図。
【符号の説明】
【００２４】
１      スイッチ構造
１０    押し釦
１１    係合片
１２    係合爪
１３    案内片
１４    平板片
１５    段差
２０    筐体
２１    ボディ
２２    カバー
２３    収納溝
２４    開口部
２５    押圧片
２６    厚肉部
２７    案内孔
３０    透明カバー
３１    周壁
４０    基板
５０    スイッチ
６０    圧縮バネ
７０    隙間
８０    名札
９０    インターホン副親機
９１    押ボタン
９２    押しボタン
９３    音穴
９４    スライドスイッチ
１０１  スイッチ構造
１２０  筐体
【図１】
2006302847.tif 000003
【図２】
2006302847.tif 000004
【図３】
2006302847.tif 000005
【図４】
2006302847.tif 000006